(57)【要約】【課題】両ブラシの組合せが簡単な組ブラシ式清掃用具を提供する。【解決手段】本発明の組ブラシ式清掃用具は、第１ブラシ台２の下面にブラシ部４１が設けられ、かつ第１ブラシ台２の上面に下向きコ字状の把手３が前後方向に沿って設けられた第１ブラシ１と、第２ブラシ台６の下面にブラシ部４２が設けられ、かつ第２ブラシ台６の上面に上方に突出して後方に延びる柄７が設けられた第２ブラシ５とを備える。両ブラシ１，５の互いの前後方向の向きが一致した前後向き一致形態と、両ブラシ１，５の互いの前後方向の向きが相反した前後向き相反形態とのいずれの形態であっても、柄７が把手３の上側に沿うように配置された状態で、第２ブラシ５が第１ブラシ１に対し着脱自在に固定されるように構成されている。【選択図】図２
2015221070.tif 000002
【特許請求の範囲】
【請求項１】
第１ブラシ台の下面にブラシ部が設けられ、かつ前記第１ブラシ台の上面に下向きコ字状の把手が前後方向に沿って設けられた第１ブラシと、
第２ブラシ台の下面にブラシ部が設けられ、かつ前記第２ブラシ台の上面に上方に突出して後方に延びる柄が設けられた第２ブラシとを備え、
前記第１および第２ブラシの互いの前後方向の向きが一致した前後向き一致形態と、前記両ブラシの互いの前後方向の向きが相反した前後向き相反形態とのいずれの形態であっても、前記柄が前記把手の上側に沿うように配置された状態で、前記第２ブラシが前記第１ブラシに対し着脱自在に固定されるように構成されていることを特徴とする組ブラシ式清掃用具。
【請求項２】
前記第１ブラシの把手は、前後対称形状に形成されている請求項１に記載の組ブラシ式清掃用具。
【請求項３】
前記第１ブラシのブラシ部は、前後対称形状に形成されている請求項１または２に記載の組ブラシ式清掃用具。
【請求項４】
前記第１ブラシは、前後対称形状に形成されている請求項１〜３のいずれか１項に記載の組ブラシ式清掃用具。
【請求項５】
前記第１ブラシ台の前端に前端係合部が設けられるとともに、後端に後端係合部が設けられ、
前記第２ブラシ台の後端に被係合部が設けられ、
前記前後向き一致形態においては、前記被係合部が前記前端係合部に係脱自在に係合することにより、前記第２ブラシが前記第１ブラシに対し固定されるとともに、
前記前後向き相反形態においては、前記被係合部が前記後端係合部に係脱自在に係合することにより、前記第２ブラシが前記第１ブラシに対し固定されるように構成されている請求項１〜４のいずれか１項に記載の組ブラシ式清掃用具。
【発明の詳細な説明】
【技術分野】
【０００１】
この発明は、第１ブラシに対し第２ブラシが着脱自在に組み合わされた組ブラシ式清掃用具に関する。
【背景技術】
【０００２】
一般住宅等において、浴室、台所、便所等の水回りの清掃、特にタイル面の清掃に使用される清掃用具として、組合せ自在な異なる２種のブラシを備え、必要に応じて、２種のブラシを組み合わせて使用したり、組み外して個別に使用するようにした組ブラシ式のものが周知である。
【０００３】
例えば特許文献１，２に示す組ブラシ式清掃用具は、下面にブラシ毛が植設され、かつ上面に下向きコ字状の把手が前後方向に沿って取り付けられた第１ブラシと、棒状の柄の前端部にブラシ毛が植設された第２ブラシとを備えている。さらにこの清掃用具は、第１ブラシの把手の上面に、第２ブラシの柄の部分を着脱自在に取り付けることができるようになっており、第２ブラシを第１ブラシに組み合わせた状態で使用したり、あるいは第２ブラシを第１ブラシから組み外してそれぞれ個別に使用したりするようにしている。
【先行技術文献】
【特許文献】
【０００４】
【特許文献１】特許第２８７９１３３号
【特許文献２】特許第４３５７６６４号
【発明の開示】
【発明が解決しようとする課題】
【０００５】
しかしながら、上記特許文献１，２に示す組ブラシ式清掃用具は、第１ブラシおよび第２ブラシが前後方向の方向性を有しているため、第１ブラシと第２ブラシとを組み合わせる際に、第１ブラシの前後方向の向きと、第２ブラシの前後方向の向きとを一致させる必要がある。つまり、両ブラシを組み合わせる際に、互いの前後方向の向きが一致していないと、両ブラシを組み合わせることができなくなってしまう。このため、使用者は、両ブラシを組み合わせる際に、各ブラシの前後方向の向きを一致させるように慎重に見極める等の面倒な作業が必要であったり、場合によっては、両ブラシを組み合わせる際に、一方のブラシの向きを転換する等の余分な作業が必要となり、良好な利便性を得ることができないという課題があった。
【０００６】
この発明は、上記の課題に鑑みてなされたものであり、第１ブラシおよび第２ブラシを簡単に組み合わせることができて、良好な利便性を得ることができる組ブラシ式清掃用具を提供することを目的とする。
【課題を解決するための手段】
【０００７】
上記目的を達成するため、本発明は以下の構成を要旨とするものである。
【０００８】
［１］第１ブラシ台の下面にブラシ部が設けられ、かつ前記第１ブラシ台の上面に下向きコ字状の把手が前後方向に沿って設けられた第１ブラシと、
第２ブラシ台の下面にブラシ部が設けられ、かつ前記第２ブラシ台の上面に上方に突出して後方に延びる柄が設けられた第２ブラシとを備え、
前記第１および第２ブラシの互いの前後方向の向きが一致した前後向き一致形態と、前記両ブラシの互いの前後方向の向きが相反した前後向き相反形態とのいずれの形態であっても、前記柄が前記把手の上側に沿うように配置された状態で、前記第２ブラシが前記第１ブラシに対し着脱自在に固定されるように構成されていることを特徴とする組ブラシ式清掃用具。
【０００９】
［２］前記第１ブラシの把手は、前後対称形状に形成されている前項１に記載の組ブラシ式清掃用具。
【００１０】
［３］前記第１ブラシのブラシ部は、前後対称形状に形成されている前項１または２に記載の組ブラシ式清掃用具。
【００１１】
［４］前記第１ブラシは、前後対称形状に形成されている前項１〜３のいずれか１項に記載の組ブラシ式清掃用具。
【００１２】
［５］前記第１ブラシ台の前端に前端係合部が設けられるとともに、後端に後端係合部が設けられ、
前記第２ブラシ台の後端に被係合部が設けられ、
前記前後向き一致形態においては、前記被係合部が前記前端係合部に係脱自在に係合することにより、前記第２ブラシが前記第１ブラシに対し固定されるとともに、
前記前後向き相反形態においては、前記被係合部が前記後端係合部に係脱自在に係合することにより、前記第２ブラシが前記第１ブラシに対し固定されるように構成されている前項１〜４のいずれか１項に記載の組ブラシ式清掃用具。
【発明の効果】
【００１３】
発明［１］の組ブラシ式清掃用具によれば、第１および第２ブラシの前後方向の各向きが一致していても一致していなくとも、両ブラシを組み合わせることができるため、使用者は、各ブラシの前後向きを意識せずに両ブラシを難なく組み合わせることができ、両ブラシの組合せ作業を簡単かつ確実に行えて、良好な利便性を得ることができる。
【００１４】
発明［２］の組ブラシ式清掃用具によれば、第１ブラシの把手を前後対称形状に形成しているため、第１ブラシの向きが使用者に対して前向きであろうと、後向きであろうとも、把手の握り具合が変わることがない。このため使用者は、第１ブラシをその前後向きにかかわらず違和感なく使用することができる。特に本発明において、使用者は、第１ブラシを前向きにして清掃する作業と、後向きにして清掃する作業とを適宜切り替えて行うことができるため、第１ブラシのブラシ部に、前後方向の双方から適宜負荷が加わるようになり、前後方向のうち一方向のみに多大な負荷が加わるような不具合を防止することができる。このため長期間使用しても、ブラシ部に大きな曲り癖が付くのを有効に防止でき、十分な耐久性を確保することができる。
【００１５】
発明［３］［４］の組ブラシ式清掃用具によれば、上記発明［２］と同様に、使用者は、第１ブラシをその前後向きにかかわらず、より一層違和感なく使用できるとともに、耐久性をより一層向上させることができる。
【００１６】
発明［５］の組ブラシ式清掃用具によれば、両ブラシを組み合わせた際に、組合せ状態に確実に保持することができるため、組合せ状態が不用意に解除されるのを防止でき、組合せ状態での清掃作業をより一層効率良くスムーズに行うことができる。
【図面の簡単な説明】
【００１７】
【図１】図１はこの発明の実施形態である組ブラシ式清掃用具を示す側面図である。
【図２】図２は実施形態の清掃用具を組み外した状態で示す側面図である。
【図３】図３は実施形態の清掃用具を前後向き一致形態で示す側面断面図である。
【図４】図４は実施形態の清掃用具を前後向き相反形態で示す側面断面図である。
【図５】図５は実施形態の清掃用具を示す正面断面図である。
【図６】図６は実施形態の清掃用具における第１ブラシを示す正面図である。
【図７】図７は実施形態の第１ブラシを示す平面図である。
【図８】図８は実施形態の第１ブラシを示す下面図である。
【図９】図９は実施形態の清掃用具における第２ブラシを示す平面図である。
【図１０】図１０は実施形態の第２ブラシを示す下面図である。
【発明を実施するための形態】
【００１８】
図１〜図５はこの発明の実施形態である組ブラシ式清掃用具を示す図である。これらの図に示すように、本実施形態の組ブラシ式清掃用具は、第１ブラシ１と、第２ブラシ５とを備えている。
【００１９】
なお本実施形態の清掃用具において、各ブラシ１，５毎に前後方向が決定されており、具体的には本実施形態の清掃用具において、図１〜図３に向かって左側を、各ブラシ１，５の「前側」とし、右側を各ブラシ１，５の「後側」としている。
【００２０】
第１ブラシ１は、ブラシ台（第１ブラシ台）２と、把手３と、ブラシ部４１とを備えている。
【００２１】
図１〜図８に示すように、第１ブラシ１のブラシ台２は、前後方向に長い略平板形状を有しており、両側縁部は中間部が両側方に少し円弧状に膨らむように形成されている。この第１ブラシ台２は、前後対称形状および左右対称形状に形成されている。すなわち第１ブラシ台２は、前半部と後半部とが面対称形状（鏡映対称形状）に形成されるとともに、左側半部（一側半部）と右側半部（他側半部）とが面対称形状（鏡映対称形状）に形成されている。
【００２２】
この第１ブラシ台２の下面には、多数の合成樹脂製ないし合成繊維製のブラシ毛４が下方に突出するように植設されてブラシ部（第１ブラシ部）４１が形成されている。このブラシ部４１も、上記第１ブラシ台２と同様、前後対称形状および左右対称形状に形成されている。なお第１ブラシ１のブラシ部４１は、後述の第２ブラシ２のブラシ部４２，４３に比べて幅寸法および長さ寸法が長く、下面視での面積が大きく形成されている。
【００２３】
図３および図８に示すように第１ブラシ台２の前端面における下端中央には、前端係合凹部２１が形成されるとともに、後端面における下端中央には、後端係合凹部２２が形成されている。本実施形態においては、前端係合凹部２１によって前端係合部が構成されるとともに、後端係合凹部２２によって後端係合部が構成されている。
【００２４】
把手３は、前後方向に延び、かつ上縁部が側面視においてアーチ状に形成された握り部３１と、握り部３１の前端から下方に延びる前側立設片３２と、握り部３１の後端から下方に延びる後側立設片３３とを有し、側面視において下向きコ字状に形成されている。この把手３における前側立設片３２の下端が第１ブラシ台２の上面における前端中央に一体的に連結されるとともに、後側立設片３３の下端が第１ブラシ台２の上面における後端中央に一体的に連結されている。これにより把手３（握り部３１）が前後方向に沿って配置されている。
【００２５】
なお本実施形態において、第１ブラシ台２と把手３とは、互いに一体に形成された硬質合成樹脂の一体成形品によって構成されている。
【００２６】
図５〜図７に示すように、把手３を構成する握り部３１および前後立設片３２，３３は、外側に開放する溝型の中空形状に形成されており、その溝が把手溝３５として構成されている。把手溝３５の内部における握り部３１に対応する部分には、上方に突出するように位置合わせ突起３６が前後方向に沿って連続して一体的に形成されている。
【００２７】
また把手３の把手溝３５内において、握り部３１の前端には、前側当接部３１２が形成されるとともに、握り部３１の後端には、後側当接部３１３が形成されている（図３および図７参照）。
【００２８】
把手３は、上記第１ブラシ台２やブラシ部４１と同様、前後対称形状および左右対称形状に形成されている。つまり、第１ブラシ１の全体が、前後対称形状および左右対称形状に形成されている。
【００２９】
なお本実施形態において、第１ブラシ１は、前後方向および左右方向のいずれの方向に対しても方向性はなく、例えば前向きに配置しても後向きに配置しても、実質的に同じ形状となるものの、本発明においては発明の理解を容易にするため、既述した通り図１〜図３に向かっての左側を第１ブラシ１の「前側」とし、右側を第１ブラシ１の「後側」としている。
【００３０】
さらに本実施形態において、使用者が第１ブラシ１の把手３を握った際に、図２に向かって、左側から右側にかけて人差し指、中指、薬指、小指がこの順に並んで配置される場合には、第１ブラシ１を使用者に対して前向きに配置した（握った）ものとしており、逆に、図２に向かって右側から左側にかけて人差し指、中指、薬指、小指がこの順に並んで配置される場合には、第１ブラシ１を使用者に対して後向きに配置したものとしている。
【００３１】
一方図１〜図５、図９および図１０に示すように、第２ブラシ５は、第２ブラシ台６と、柄７と、第２ブラシ部４２と、補助ブラシ部４３とを備えている。
【００３２】
第２ブラシ台６は、平面視において、前端を頂角とし後端縁を底辺とする略二等辺三角形状に形成されている（図９および図１０参照）。第２ブラシ台６の厚みは、上記第１ブラシ１の第１ブラシ台２の厚みに対応して形成されるとともに、第２ブラシ台６の後端面は、第１ブラシ台２の前端面および後端面に対応する形状に形成されている。
【００３３】
第２ブラシ台６の下面には、多数の合成樹脂製ないし合成繊維製のブラシ毛４が下方に突出するように植設されてブラシ部（第２ブラシ部）４２が形成されている。なお第２ブラシ部４２の下面視形状は、第２ブラシ台６の形状と同様、先細の略二等辺三角形状に形成されている。
【００３４】
また第２ブラシ台６の後端面中央には、上記第１ブラシ台２の前端面および後端面に形成された前端係合凹部２１および後端係合凹部２２に対して係合可能な係合凸部６０が形成されている（図１０参照）。本実施形態においては、この係合凸部６０によって被係合部が構成されている。
【００３５】
第２ブラシ台６の上面には、上方に突出してから後方に延びるように形成された柄７が一体に形成されている。この柄７の上縁部は、側面視において前部の曲率半径が大きく、かつ中間部から後部にかけての部分の曲率半径が小さい略アーチ状に形成されており、この柄７の中間部から後部にかけての部分が握り部７１として構成されている。
【００３６】
さらに柄７における握り部７１の後端部には、下方に突出するように後端具７３が一体に形成されている。この後端具７３の下面には、多数の合成樹脂製ないし合成繊維製のブラシ毛４が下方に突出するように植設されて補助ブラシ部４３が形成されている。なおこの補助ブラシ部４３は、第１および第２ブラシ１，５のブラシ部４１，４２に比べて、幅寸法が狭くなっている。
【００３７】
図１０に示すように柄７の握り部７１は、下向きに開放された溝型の中空形状を有しており、その溝によって構成される位置合わせ溝７６が握り部７１の長さ方向に沿って連続して形成されている。
【００３８】
なお本実施形態において、第２ブラシ５におけるブラシ台６、柄７、後端具７３、ブラシ部４２，５３はそれぞれ左右対称形状に形成されており、第２ブラシ５の全体が左右対称形状に形成されている。
【００３９】
本実施形態においては、第２ブラシ５における柄７の握り部７１は、第１ブラシ１における把手３の把手溝３５内に適合状態に収容できるように構成されている。特に本実施形態においては、図３に示すように第１ブラシ１および第２ブラシ５を互いの前後方向の向きを一致させて配置した形態（前後向き一致形態）と、図４に示すように両ブラシ１，５を互いの前後方向の向きを相反させた形態（前後向き相反形態）とのいずれの形態であっても、第２ブラシ５における柄７の握り部７１を、第１ブラシ１における把手３の把手溝３５内に適合状態に収容できるように構成されている。なお前後向き相反形態を示す図４においては、同図の左側が、第１ブラシ１の前側、第２ブラシ５の後側となり、同図の右側が、第１ブラシ１の後側、第２ブラシ５の前側となる。
【００４０】
詳細に説明すると、例えば図３に示すように前後向き一致形態で、第２ブラシ５を第１ブラシ１に組み合わせるに際し、第２ブラシ５の柄７を第１ブラシ１の把手３に対向させて、第２ブラシ５を第１ブラシ１側に押し込むと、柄７の握り部７１が把手３の把手溝３５内に嵌まり込むように収容される。それと同時に、第１ブラシ１における把手３の位置合わせ突起３６が、第２ブラシ２における柄７の位置合わせ溝７６内に嵌り込むように収容される。またこうして両ブラシ１，５を嵌め合わせた際には、第２ブラシ５における後端具７３の前端面が、第１ブラシ１における把手溝３５内の後側当接部３１３に接触係止しつつ、第２ブラシ５におけるブラシ台後端面の係合凸部６０が、第１ブラシ１におけるブラシ台前端面の前端係合凹部２１内に係合することによって、第２ブラシ５の柄７が第１ブラシ１の把手溝３５内に嵌め込まれた状態に保持されている。これにより、両ブラシ１，５が組み合わされた状態で保持され、その組合せ状態が簡単に解除されてしまうのが防止されている。
【００４１】
またこうして前後向き一致形態で両ブラシ１，２を組み合わせた際には、第２ブラシ５のブラシ台６が第１ブラシ１のブラシ台２の前側に配置されて、第１ブラシ部４１および第２ブラシ部４２が前後に並んで配置されるとともに、第２ブラシ５の補助ブラシ部４３は、第１ブラシ１における把手３の後側立設片３２内に配置されて、補助ブラシ部４３が隠蔽されている。
【００４２】
なおこの組合せ状態を解除するには、例えば第２ブラシ５をそのブラシ台後端面の係合凸部６０を支点にして、後端具７３を上方に押し上げるように回転操作すれば良い。そうすると、後端具７３が、第１ブラシ１の後側当接部３１３に対し上方に抜け出して、第２ブラシ５を第１ブラシ１に対し前方へ移動操作できるようになる。従ってその移動操作によって、第２ブラシ５の係合凸部６０を第１ブラシ１の前端係合凹部２１から離脱させることができるため、第２ブラシ５を第１ブラシ１から分離されることができ、組合せ状態をスムーズに解除することができる。
【００４３】
一方図４に示すように、前後向き相反形態で両ブラシ１，５を組み合わせる場合、第１ブラシ１に対する第２ブラシ５の前後の向きが異なるだけで、実質的には上記したように前後向き一致形態で組み合わせる場合と同様である。すなわち前後向き相反形態で、第２ブラシ５を第１ブラシ１に組み合わせるに際し、第２ブラシ５の柄７を第１ブラシ１の把手溝３５内に嵌め込んだ際には、第２ブラシ５における後端具７３の前端面が、第１ブラシ１の前側当接部３１２に接触係止しつつ、第２ブラシ５の係合凸部６０が、第１ブラシ１におけるブラシ台後端面の後端係合凹部２２内に係合することによって、両ブラシ１，５が組合せ状態でロックされる。
【００４４】
このように前後向き相反形態で両ブラシ１，２を組み合わせた際には、第２ブラシ５のブラシ台６が第１ブラシ１のブラシ台２の後側に配置されて、第１ブラシ部４１および第２ブラシ部４２が前後に並んで配置されるとともに、第２ブラシ５の補助ブラシ部４３は、第１ブラシ１における把手３の前側立設片３３内に配置されて、補助ブラシ部４３が隠蔽されている。
【００４５】
なお前後向き相反形態で組み合わされた両ブラシ１，５において、組合せ状態を解除する場合も、上記と同様に、第２ブラシ５をその後端具７３を持ち上げるように回転操作すれば、第２ブラシ５を第１ブラシ１の後方に移動させることができるため、第２ブラシ５の係合凸部６０を第１ブラシ１の後端係合凹部２２から離脱させて、組合せ状態を解除することができる。
【００４６】
以上のように構成された本実施形態の組ブラシ式清掃用具においては、第１および第２ブラシ１，５を組み合わせた状態であっても組み外した状態であっても清掃することができる。例えば第１および第２ブラシ１，５を組み合わせた状態で、それらの両ブラシ部４１，４２を介して清掃することができる。さらに両ブラシ１，５を組み外して（分離させて）、一方のブラシ、例えば第１ブラシ１だけを用いて清掃できるとともに、他方の第２ブラシ５をだけを用いてその第２ブラシ部４２または補助ブラシ部４３を介して清掃することもできる。従って清掃面積、清掃場所、汚れ具合等の状況に応じて、適切なブラシ部４１〜４３を用いて清掃することができるため、効率良くスムーズに清掃できるとともに、清掃後の仕上がりも良好なものとなる。
【００４７】
さらに本実施形態においては、両ブラシ１，５を組み合わせた際に、第２ブラシ５のブラシ台後端の係合凸部６０を、第１ブラシ１のブラシ台端面の前後係合凹部２１，２２に係合させているため、両ブラシ１，５の組合せ状態が簡単に解除されてしまうのを防止することができる。このため、両ブラシ１，５を組み合わせた状態で清掃を行っている際に、不用意にも両ブラシ１，５が分解されてしまうようなことがなく、清掃作業をより一層効率良くスムーズに行うことができる。
【００４８】
なお本実施形態においては、第１および第２ブラシ１，５を組み合わせた状態では、第２ブラシ５の柄７が第１ブラシ１の把手３内にほぼ収容されるため、使用者は、主として第１ブラシ１の把手３（握り部３１）を握って清掃することとなる。
【００４９】
また本実施形態の清掃用具によれば、第１ブラシ１および第２ブラシ５の前後方向の各向きが一致していても一致していなくとも、両ブラシ１，５を組み付けることができるため、使用者は、各ブラシ１，５の前後向きを意識せずに両ブラシ１，５を難なく組み合わせることができ、両ブラシ１，５の組合せ作業を簡単かつ確実に行うことができる。
【００５０】
特に本実施形態においては、第１ブラシ１の把手３を前後対称形状および左右対称形状に形成しているため、第１ブラシ１の前後向きが使用者に対して前向きであろうと、後向きであろうとも、把手３の握り具合が変わることがない。つまり本実施形態の清掃用具は、前後方向の向きにかかわらず、使用者は違和感なく把手３を握ることができ、利便性を向上させることができる。
【００５１】
その上さらに、本実施形態の清掃用具においては、第１ブラシ１のブラシ部４１を前後対称形状および左右対称形状に形成しているため、耐久性を格段に向上させることができる。すなわち従来の組ブラシ式清掃用具のように、第１ブラシが前後非対称形状に形成されて、第１ブラシの前後方向の向きが確定しているものでは、第１ブラシのブラシ毛に曲り癖が付き易く、早期の段階で効果的な清掃ができなくなってしまう。例えば従来の清掃用具において第１ブラシを清掃面に押し付けながら前方にスライドさせるようにして清掃するような場合、ブラシ部の特に前端部を後方に押し付けるような多大な負荷が加わるため、ブラシ部前端部のブラシ毛が後方に折れ曲がるような曲り癖がついてしまう。一般使用者は、このような曲り癖を簡単に取り除くことができないため、大きな曲り癖が付くと、新しい清掃用具に買い替えるのが通例であり、買い替えスパンが短くなり、十分な耐久性を得ることができなかった。
【００５２】
そこで、本実施形態の清掃用具においては、第１ブラシ１が前後対称形状に形成されて、第１ブラシ１に前後方向の方向性がないため、使用者は、第１ブラシ１を使用者に対して前向きにしても後向きにしても違和感なく同じように清掃することができる。従って使用者は、清掃する際に第１ブラシ１を前向きにして清掃する作業と、後向きにして清掃する作業とを適宜切り替えて行うことができるため、第１ブラシ１のブラシ部４１に、前後方向の双方から適宜負荷が加わるようになり、従来のように前後方向のうち一方向のみに多大な負荷が加わるような不具合を防止することができる。このため、長期間使用しても、ブラシ部に大きな曲り癖が付くのを有効に防止でき、十分な耐久性を確保することができ、商品価値を一層向上させることができる。
【００５３】
言うまでもなく、上記従来の清掃用具のように、前後非対称形状の第１ブラシを前後の向きを変えて握った場合、前後非対称形状であるため、使用者は違和感を覚え、清掃作業をスムーズに行うことが困難になってしまう。従って、従来の清掃用具においては、第１ブラシを使用者に対し後向きにして清掃することができず、ブラシ部に一方向のみに多大な負荷が加わることになってしまう。
【００５４】
なお、上記実施形態においては、第１ブラシ１の把手３内に第２ブラシ５の柄７を嵌め込むように構成しているが、それだけに限られず、本発明においては、第２ブラシの柄の下面側に溝を形成しておき、その柄の溝内に、第１ブラシの把手を嵌め込むように構成しても良い。
【００５５】
また上記実施形態においては、第１ブラシ台２の前端および後端に設けられる係合部を係合凹部２１，２２によって構成するとともに、第２ブラシ台６の後端に設けられる被係合部を係合凸部６０によって構成しているが、それだけに限られず、本発明においては、第１ブラシ台側の係合部を係合凸部によって構成し、第２ブラシ台側の被係合部を係合凹部によって構成するようにしても良い。
【産業上の利用可能性】
【００５６】
この発明の組タイル式清掃用具は、例えば浴室、台所、便所等の水回りを清掃する際に好適に用いることができる。
【符号の説明】
【００５７】
１：第１ブラシ
２：第１ブラシ台
２１：前端係合凹部（前端係合部）
２２：後端係合凹部（後端係合部）
３：把手
４１：第１ブラシ部
４２：第２ブラシ部
４３：補助ブラシ部
５：第２ブラシ
６：第２ブラシ台
６０：係合凸部（被係合部）
７：柄
【図１】
2015221070.tif 000003
【図２】
2015221070.tif 000004
【図３】
2015221070.tif 000005
【図４】
2015221070.tif 000006
【図５】
2015221070.tif 000007
【図６】
2015221070.tif 000008
【図７】
2015221070.tif 000009
【図８】
2015221070.tif 000010
【図９】
2015221070.tif 000011
【図１０】
2015221070.tif 000012